(57)【要約】【課題】扉の錠前の施解錠を外側から目視確認でき、扉の施錠忘れを防止できる扉の施錠解錠装置を提供する。【解決手段】デッドボルトとデッドボルトを扉枠に出入りさせる回転機構を有する錠前と、錠前の回転機構に連結され、デッドボルトの動きを扉外側からキーにより操作するシリンダー部と、錠前の回転機構に連結され、デッドボルトの動きを扉内側から操作するサムターンを備えたサムターン部と、キーに備えられたマグネットと、シリンダー部にキーが挿入され、キーに備えられたマグネットが近接したときにこれを検知するキー用磁気センサと、扉外側に配設され、施錠解錠状態を点灯表示する発光素子と、発光素子の点灯表示状態を制御する点灯制御部と、電源部を具備し、マグネットが磁気センサに近接するか離隔するかに応じて、発光素子の点灯表示状態を変化させて施錠解錠状態を扉外側から視認可能とした装置とする。【選択図】図１
2008261138.tif 000002
【特許請求の範囲】
【請求項１】
デッドボルトと該デッドボルトを扉枠の挿入部に出入りさせる回転機構とを有する錠前と、
前記錠前の回転機構に連結されると共に前記デッドボルトの動きを扉の外側からキーにより操作するシリンダー部と、
前記錠前の回転機構に連結されると共に前記デッドボルトの動きを扉の内側から操作するサムターンを備えたサムターン部と、
前記キーに備えられたマグネットと、
前記シリンダー部に前記キーが挿入され、前記キーに備えられたマグネットが近接したときにこれを検知するキー用磁気センサと、
扉の外側に配設され、扉の施錠及び解錠の状態を点灯表示する発光素子と、
前記発光素子の点灯表示状態を制御する点灯制御部と、
前記発光素子を点灯させるための電源部とを具備してなり、
前記マグネットが前記磁気センサに近接するか又は離隔するかに応じて、前記発光素子の点灯表示状態を変化させて扉の施錠又は解錠の状態を扉の外側から視認可能としたことを特徴とする扉の施錠解錠装置。
【請求項２】
前記錠前のデッドボルトもしくはサムターン部に設けられたマグネットと、
前記マグネットが近接したときにこれを検知する磁気センサと、
扉の内側に配設されると共に、前記点灯制御部と前記電源部に電気的に接続され、扉の施錠及び解錠の状態を点灯表示する内側用発光素子を更に具備してなり、
前記マグネットが前記磁気センサに近接するか又は離隔するかに応じて、前記内側用発光素子の点灯表示状態を変化させて扉の施錠又は解錠の状態を扉の内側から視認可能としたことを特徴とする請求項１に記載の扉の施錠解錠装置。
【請求項３】
前記点灯制御部は、前記シリンダー部の動作により扉の施錠がなされた場合に、扉の外側に設けられた前記発光素子を点灯させ、かつ一定時間後に消灯させる構成とされたことを特徴とする請求項１又は２に記載の扉の施錠解錠装置。
【請求項４】
前記点灯制御部は、前記シリンダー部の動作により扉の解錠がなされた場合に、扉の外側に設けられた前記発光素子を点滅させ、かつ一定時間後に消灯させる構成とされたことを特徴とする請求項１から３の何れか一項に記載の扉の施錠解錠装置。
【請求項５】
前記点灯制御部は、前記サムターン部の動作により扉の施錠がなされた場合に、前記内側用発光素子を点灯させ、かつ一定時間後に消灯させる構成とされたことを特徴とする請求項２から４の何れか一項に記載の扉の施錠解錠装置。
【請求項６】
前記点灯制御部は、扉の解錠がなされた場合に、前記内側用発光素子を点滅させる構成とされたことを特徴とする請求項２から５の何れか一項に記載の扉の施錠解錠装置。
【請求項７】
前記内側用発光素子が前記サムターン部に設けられたことを特徴とする請求項２から６の何れか一項に記載の扉の施錠解錠装置。
【請求項８】
扉の外側に配設された前記発光素子が、前記シリンダー部に設けられたことを特徴とする請求項１から７の何れか一項に記載の扉の施錠解錠装置。
【請求項９】
前記電源部、発光素子、磁気センサ、キー用磁気センサ及び点灯制御部が増設ボックスに収納され、該増設ボックスを扉の内側及び外側に配置したことを特徴とする請求項７又は８に記載の扉の施錠解錠装置。
【請求項１０】
前記磁気センサがホール素子で構成されていることを特徴とする請求項１から９の何れか一項に記載の扉の施錠解錠装置。
【請求項１１】
請求項１ないし１０の何れか一項に記載の扉の施錠解錠装置が一の扉に複数設けられると共に、該複数の施錠解錠装置が相互に電気的に接続され、該複数の施錠解錠装置の何れか一が錠前の施錠解錠状態を検知したとき、該一の施錠解錠装置の錠前の施錠解錠状態を表示すると共に、他の施錠解錠装置の錠前の施錠解錠状態を表示する構成とされたことを特徴とする扉の施錠解錠システム。
【請求項１２】
扉の外側からキーによりシリンダー部を操作し、扉の内側からサムターンによりサムターン部を操作して、デッドボルトを扉枠の挿入部に係脱自在に嵌入させるサムターン付きシリンダー錠に設けられた扉の施錠解錠状態を表示する装置において、
前記キーに備えられたマグネットと、
前記シリンダー部に前記キーが挿入され、前記キーに備えられたマグネットが近接したときにこれを検知するキー用磁気センサと、
扉の外側に配設され、扉の施錠及び解錠の状態を点灯表示する発光素子と、
前記発光素子の点灯表示状態を制御する点灯制御部と、
前記発光素子を点灯させるための電源部とを具備してなり、
前記マグネットが前記磁気センサに近接するか又は離隔するかに応じて、前記発光素子の点灯表示状態を変化させて扉の施錠又は解錠の状態を扉の外側から視認可能としたことを特徴とする扉の施錠解錠表示装置。
【請求項１３】
前記錠前のデッドボルトもしくはサムターン部に設けられたマグネットと、
前記マグネットが近接したときにこれを検知する磁気センサと、
扉の内側に配設されると共に、前記点灯制御部と前記電源部に電気的に接続され、扉の施錠及び解錠の状態を点灯表示する内側用発光素子を更に具備してなり、
前記マグネットが前記磁気センサに近接するか又は離隔するかに応じて、前記内側用発光素子の点灯表示状態を変化させて扉の施錠又は解錠の状態を扉の内側から視認可能としたことを特徴とする請求項１２に記載の扉の施錠解錠表示装置。
【発明の詳細な説明】
【技術分野】
【０００１】
本発明は、一般に扉の施錠解錠装置及び施錠解錠表示装置に係り、より詳細には、住宅などの建築物に設けられる玄関ドア等の扉においてその施錠解錠状態の確認を容易にし、施錠忘れ防止に供する技術に関する。
【背景技術】
【０００２】
戸建住宅においては、うっかり不注意で玄関ドアを無施錠にして外出したり就寝する場合が多く、無施錠窓や扉からの侵入による被害は実に全体の約２０％にも及ぶ。また、外出時や就寝時において玄関ドア等の施錠をしたかどうか忘れることも多く、出かけて暫く歩いてから心配になって戻って確認したり、玄関の施錠確認のために寝床から起きて再確認をしたりする経験は誰にでもある。
更に、玄関ドア等に用いられているシリンダー錠にあっては、防犯上の理由よりシリンダーの穴の向きはキーを抜くと初期位置へ戻るようになっているため、施錠状態にあるか解錠状態にあるかは外部からは分からない。また、ドアの２ロック化（複数施錠化）が進むにつれ、鍵の施解錠の確認作業に要する労力が増加している。特に、上下一対の錠前が装備されている場合、１ロック状態か２ロック状態か、ロックされているのは上か下かは、キーを差して試みないと分からない。
【０００３】
よって、扉の施錠解錠状態を容易に確認できるようにすることが望まれるが、従来、これらの要望を満たす技術は開示されていなかった。
すなわち、従来は、例えば特許文献１に示されているようなドアホンや集中モニターに扉の施錠解錠状態を表示する方法が知られている。しかし、このような方法では、居住者等がドアホンや集中モニターのところまで行って表示を確認できるだけであり、特に建物の外部からの確認はできなかった。
また、特許文献２には施錠忘れ防止装置が開示され、扉に取付けた扉錠に、該扉錠の解錠時にＯＮとなり、施錠時にＯＦＦとなるスイッチ１ｓを設け、室内側に設置したキー保管庫に、キーの取出し時にＯＮ、保管時にＯＦＦとなるスイッチ３ｓを設け、上記スイッチ１ｓ及び３ｓとブザーなどの表示装置とを直列に接続し、保管庫からキーを取出した状態で扉錠が解錠されるとブザーが鳴るようにした技術が開示されている。しかし、この技術では、施錠忘れを聴覚に訴えるので、建物の住人以外にも聞こえることがあり、近所迷惑となる；室内の所定の保管庫に必ずキーを保管しておく必要があり、使い勝手が悪い；２重ロックなどの場合は仕組みが複雑化する等の不具合があった。
更に、施錠忘れ防止装置を、既存の玄関扉に後から簡易に設置できることが望ましいが、そのような装置は存在しなかった。
【０００４】
【特許文献１】特開平０６−２６１１４８号公報
【特許文献２】実公平６−４５０１４号公報
【発明の開示】
【発明が解決しようとする課題】
【０００５】
本発明は、前記事情に鑑みてなされたもので、前述の不具合を少なくとも部分的に解消した扉の施錠解錠装置及び施錠解錠表示装置を提供することを目的とし、特に玄関ドア等の扉の施錠及び解錠状態を扉の外側から目視確認できる装置を提案するものである。
本発明の他の目的は、玄関ドア等の扉の施錠及び解錠を、扉の内側の比較的遠隔の場所から目視確認できる扉の施錠解錠装置及び施錠解錠表示装置を提供することにある。
本発明の更なる目的は、玄関ドア等の扉の錠前の施錠を視覚によって確実に確認でき、施錠の意識付けを可能にする扉の施錠解錠装置及び施錠解錠表示装置を提供することにある。
本発明の更に他の目的は、玄関ドア等の扉の錠前の施錠の操作性を高めて省力化を可能にする扉の施錠解錠システムを提供することにある。
本発明の他の目的は、既存の扉の施錠解錠装置に後から簡易に設置することが可能な施錠解錠表示装置を提供することにある。
【課題を解決するための手段】
【０００６】
第一の発明によれば、デッドボルトと該デッドボルトを扉枠の挿入部に出入りさせる回転機構とを有する錠前と、
前記錠前の回転機構に連結されると共に前記デッドボルトの動きを扉の外側からキーにより操作するシリンダー部と、
前記錠前の回転機構に連結されると共に前記デッドボルトの動きを扉の内側から操作するサムターンを備えたサムターン部と、
前記キーに備えられたマグネットと、
前記シリンダー部に前記キーが挿入され、前記キーに備えられたマグネットが近接したときにこれを検知するキー用磁気センサと、
扉の外側に配設され、扉の施錠及び解錠の状態を点灯表示する発光素子と、
前記発光素子の点灯表示状態を制御する点灯制御部と、
前記発光素子を点灯させるための電源部とを具備してなり、
前記マグネットが前記磁気センサに近接するか又は離隔するかに応じて、前記発光素子の点灯表示状態を変化させて扉の施錠又は解錠の状態を扉の外側から視認可能としたことを特徴とする扉の施錠解錠装置が提供される。
【０００７】
ここで、扉とは、住宅などの建築物において屋外等の外側と屋内等の内側を仕切り、人の出入りを可能にする開口部に取付けられてこれを開閉できるようにした建具であって、特に玄関ドア等の開き戸が例示される。デッドボルトと回転機構を有する錠前と、シリンダー部とサムターン部は、いわゆるサムターン付きシリンダー錠と称される施錠解錠装置が具備するものであって、その詳細構造は問わず、同様の機能を果たす部材、機構等を包含するが、磁石やセンサの周辺では非磁性金属部材を用いることが好適である。特に、回転機構は、シリンダー部からの回転運動を、デッドボルトを摺動させる直線運動に変換する機構であれば、如何なる構造のものでも構わない。
マグネットは、好適には地磁気よりも強い磁束密度を発する永久磁石の微小片であり、前記のデッドボルト、サムターン部、シリンダー部等に設置可能なサイズであり、通常量産されているものであれば、特に限定されるものではない。例えば、希土類ネオジム系磁石、希土類サマリウム−コバルト系磁石、フェライト系磁石、アルニコ磁石、プラスチックマグネットなど、汎用のマグネットを利用できる。特に、小さくとも強磁場を発生するサマリウム−コバルト系やネオジム系の希土類磁石が好適である。
【０００８】
磁気センサは、前記マグネットの磁場を所望とする近接距離において、判別するセンサであれば特に限定されるものではないが、例えば、リードスイッチ、磁気抵抗効果センサ、ホールセンサ（ホール素子）などが挙げられる。なかでも、磁石の極性まで容易に判別でき、検知状態を多くすることが可能なホールセンサが好適に用いられる。
発光素子は、赤、緑等の発光色や点灯・点滅などの発光状態によって、錠前の施錠解錠等を表示するためのもので、ＬＥＤやＥＬ素子など、消費電力の小さいものが好適である。また、視認性を高めるため、点灯する光源の背面に反射板を設けたり、拡散板や拡散レンズ等で光源を覆うことなどもできる。発光素子の設置位置は、玄関ドア等の扉の外側で、錠前の施解錠操作をする居住者等が視認しやすい場所であれば、如何なる場所でもよく、玄関の扉枠側の部位が例示されるが、特にシリンダー部に直接設けるのが好ましい。また、発光素子は一箇所に限らず、複数箇所に設けるようにしてもよい。
点灯制御部は、好適にはＩＣ回路からなり、マグネットを検知する磁気センサからの出力信号を受け入れて、扉の外側に設けられた発光素子を点灯、消灯させるものである。電源部は、如何なる電源でも構わず、住宅の電源を利用してもよいが、好適には電池が使用され、特に電池を収納する部分のコンパクト化のためにリチウム電池等が好ましい。
【０００９】
第二の発明によれば、第一の発明に係る扉の施錠解錠装置において、前記錠前のデッドボルトもしくはサムターン部に設けられたマグネットと、前記マグネットが近接したときにこれを検知する磁気センサと、扉の内側に配設されると共に、前記点灯制御部と前記電源部に電気的に接続され、扉の施錠及び解錠の状態を点灯表示する内側用発光素子を更に具備してなり、前記マグネットが前記磁気センサに近接するか又は離隔するかに応じて、前記内側用発光素子の点灯表示状態を変化させて扉の施錠又は解錠の状態を扉の内側から視認可能としたことを特徴とする扉の施錠解錠装置が提供される。
これは、扉の内側に内側用発光素子を設けて、扉の内側から錠前の施錠又は解錠の状態を視認可能としたものであり、内側用発光素子は前述の扉の外側に配設される発光素子と同様のものが利用できる。
【００１０】
第三の発明によれば、第一又は第二の発明に係る扉の施錠解錠装置において、前記点灯制御部は、前記シリンダー部の動作により扉の施錠がなされた場合に、扉の外側に設けられた前記発光素子を点灯させ、かつ一定時間後に消灯させる構成とされたことを特徴とする扉の施錠解錠装置が提供される。
扉の外側に施錠解錠状態を表示する機構を備えることは、居住者等に施錠解錠を確認させることになるものの、第三者にも施錠解錠状態を知らしめてしまい、防犯上好ましくない面がある。しかしながら、施錠時にのみ発光素子の点灯で施錠を表示し、一定時間後にそれを消灯させるのであれば、不用意に第三者に施錠解錠状態を悟られることはない。ここで、施錠状態は発光素子の発光色によって示すのが好ましく、特に、昼間でも視認可能な輝度を持つ緑色が好ましい。
【００１１】
第四の発明によれば、第一から第三の発明の何れか一に係る扉の施錠解錠装置において、前記点灯制御部は、前記シリンダー部の動作により扉の解錠がなされた場合に、扉の外側に設けられた前記発光素子を点滅させ、かつ一定時間後に消灯させる構成とされたことを特徴とする扉の施錠解錠装置が提供される。
扉の外側に設けた発光素子を、解錠時に点滅させると、居住者等に注意を喚起することができ、また一定時間後に消灯させるので、不用意に第三者に施錠解錠状態を悟られることはない。ここで、発光素子の発光色はアラーム色の赤色にすると好ましい。
【００１２】
第五の発明によれば、第二から第四の発明の何れか一に係る扉の施錠解錠装置において、前記点灯制御部は、前記サムターン部の動作により扉の施錠がなされた場合に、前記内側用発光素子を点灯させ、かつ一定時間後に消灯させる構成とされたことを特徴とする扉の施錠解錠装置が提供される。
第六の発明によれば、第二から第五の発明の何れか一に係る扉の施錠解錠装置において、前記点灯制御部は、扉の解錠がなされた場合に、前記内側用発光素子を点滅させる構成とされたことを特徴とする扉の施錠解錠装置が提供される。
第五又は第六の発明においては、錠前の施錠解錠を内側用発光素子によって表示するものである。ここで、施錠状態を示す点灯は、第三の発明において説明したように、緑色の発光色とするのが好ましいが、解錠状態を示す点滅は、第四の発明において説明したように、アラーム色の赤色とするのが好ましい。
【００１３】
第七の発明によれば、第二から第六の発明の何れか一に係る扉の施錠解錠装置において、前記内側用発光素子が前記サムターン部に設けられたことを特徴とする扉の施錠解錠装置が提供され、第八の発明によれば、第一から第七の発明の何れか一に係る扉の施錠解錠装置において、扉の外側に配設された前記発光素子が、前記シリンダー部に設けられたことを特徴とする扉の施錠解錠装置が提供される。
このように発光素子をシリンダー錠構造自体に装備した構成とすることにより、コンパクトな扉の施錠解錠装置が得られる。
【００１４】
第九の発明によれば、第七又は第八の発明に係る扉の施錠解錠装置において、前記電源部、発光素子、磁気センサ、キー用磁気センサ及び点灯制御部が増設ボックスに収納され、該増設ボックスを扉の内側及び外側に配置したことを特徴とする扉の施錠解錠装置が提供される。
既存のサムターン付きシリンダー錠構造を本発明に係る扉の施錠解錠装置に改造する場合、既存のシリンダー部及びサムターン部に外側及び内側増設ボックスを付設し、そのボックス内に本発明に係る扉の施錠解錠装置の主要部材を収納するようにしたものであり、リフォームやＤＩＹ施工向きである。
【００１５】
第十の発明によれば、第一から第九の発明の何れか一に係る扉の施錠解錠装置において、前記磁気センサがホール素子で構成されていることを特徴とする扉の施錠解錠装置が提供される。
前述のように、磁気センサは種々のものが考えられるが、この発明は、好適なホール素子としたものである。
【００１６】
第十一の発明によれば、第一から第十の発明の何れか一に係る扉の施錠解錠装置が一の扉に複数設けられると共に、該複数の施錠解錠装置の何れか一が錠前の施錠解錠状態を検知したとき、該一の施錠解錠装置の錠前の施錠解錠状態を表示すると共に、他の施錠解錠装置の錠前の施錠解錠状態を表示する構成とされたことを特徴とする扉の施錠解錠システムが提供される。
近年、防犯性を向上させるために１ドア２ロック形式を採る場合も多い。この発明はそのような態様に応じたもので、一の施錠解錠装置と他の施錠解錠装置を連動させるものである。
【００１７】
第十二の発明によれば、扉の外側からキーによりシリンダー部を操作し、扉の内側からサムターンによりサムターン部を操作して、デッドボルトを扉枠の挿入部に係脱自在に嵌入させるサムターン付きシリンダー錠に設けられた扉の施錠解錠状態を表示する装置において、前記キーに備えられたマグネットと、前記シリンダー部に前記キーが挿入され、前記キーに備えられたマグネットが近接したときにこれを検知するキー用磁気センサと、扉の外側に配設され、扉の施錠及び解錠の状態を点灯表示する発光素子と、前記発光素子の点灯表示状態を制御する点灯制御部と、前記発光素子を点灯させるための電源部とを具備してなり、前記マグネットが前記磁気センサに近接するか又は離隔するかに応じて、前記発光素子の点灯表示状態を変化させて扉の施錠又は解錠の状態を扉の外側から視認可能としたことを特徴とする扉の施錠解錠表示装置が提供される。
このような施錠解錠表示装置は、既存のサムターン付きシリンダー錠に後から取付けられる態様にすることができるし、サムターン付きシリンダー錠を製作する際に一体に組み込まれる態様にすることもできる。
【００１８】
第十三の発明によれば、第十二の発明において、前記錠前のデッドボルトもしくはサムターン部に設けられたマグネットと、前記マグネットが近接したときにこれを検知する磁気センサと、扉の内側に配設されると共に、前記点灯制御部と前記電源部に電気的に接続され、扉の施錠及び解錠の状態を点灯表示する内側用発光素子を更に具備してなり、前記マグネットが前記磁気センサに近接するか又は離隔するかに応じて、前記内側用発光素子の点灯表示状態を変化させて扉の施錠又は解錠の状態を扉の内側から視認可能としたことを特徴とする扉の施錠解錠表示装置が提供される。
第十三の発明は、第十二の発明において、前述の第二の発明に対応する構成を付加したものである。
【発明の効果】
【００１９】
第一の発明によれば、玄関扉等の扉を施錠する際に施錠状態を視覚的に見せることにより確実に施錠したことが外部から目視によって確認できるという効果があり、施錠の意識付けにも役立つ。特に、いちいち玄関灯や玄関ホール灯の照明等をつけることなく暗闇でも施錠したことを確認できるし、視覚的記憶に残すことにより、外出時に鍵を締めたか否か精神的な不安を取り除くことが可能となる。
第二の発明によれば、玄関ドア等の扉の施解錠状態を、扉の内側の比較的遠隔の場所から目視確認でき、施錠忘れを防止でき、安心して就寝できる等の効果を奏する。
【００２０】
第三及び第四の発明によれば、居住者等に施錠解錠を視認させ、施錠忘れを確実に防止でき、また一定時間後に消灯させるので、不用意に第三者に施錠解錠状態を悟られることはないという効果を奏する。
【００２１】
第五及び第六の発明によれば、扉の内側でかなり離れた位置からも錠前の施錠解錠状態を確認することができ、施錠忘れを防止できる等の効果を奏する。
第七及び第八の発明によれば、コンパクトな扉の施錠解錠装置が得られる。
第九の発明によれば、既存のサムターン付きシリンダー錠構造を後から簡易に改造するすることができるという効果を奏する。
第十の発明によれば、施錠解錠を確実に検知できるという効果がある。
第十一の発明によれば、複数ロック式の玄関ドア等の扉において、施錠の操作性を高めて省力化を可能にした施錠解錠システムが得られる。
第十二及び第十三の発明によっても上記と同様の効果が得られ、特に既存のサムターン付きシリンダー錠に後から取付けることができる。
【発明を実施するための最良の形態】
【００２２】
本発明の扉の施錠解錠装置は、一般的なサムターン付きシリンダー錠をベースとするものであり、周知のシリンダー錠構造と同様の構成については簡単な説明に止める。
図１は本発明の第一の実施形態に係る施錠解錠装置を示す概略図で、図中Ｄは、玄関ドア等の扉である。該施錠解錠装置は、デッドボルト（図示せず）と該デッドボルトを扉枠の挿入部に出入りさせる回転機構（図示せず）とを有する錠前Ａと、錠前Ａの回転機構に連結されると共にデッドボルトの動きを扉Ｄの外側からキー２によって操作するシリンダー部３と、シリンダー部３と扉Ｄを挟んで対向して設けられ、錠前Ａの回転機構に連結されると共にデッドボルトの動きを扉の内側から操作するサムターン４を備えたサムターン部５とを具備しているサムターン付きシリンダー錠である。
前記デッドボルトは、扉枠に対向する方向に摺動可能な状態で錠前ケース１内に収容され、先端の係合部が錠前ケース１から出て扉枠のストライク部（挿入部）に嵌入せしめられるように配されている。前記シリンダー部３は、例えばシリンダー内に複数のピンタンブラーをバネ等の付勢手段によって付勢して並設し、キー２の挿入によりピンタンブラーが所定の位置に位置決めされ、それによって内側のプラグが回動せしめられる一般的構造のものであり、例えば、キー穴が縦状態にあるときにのみキー２の挿脱が可能で、挿入状態でキー２を右に回すと錠前１が解錠状態になる方向にプラグが回動させられ、逆に挿入状態でキー２を左に回すと錠前１が施錠状態になる方向にプラグが回動させられるものである。前記サムターン部５は、サムターン４を把持してサムターン部５を回動させることにより、前記回転機構を駆動するものであり、サムターン４は取り外し不可のものでも取り外し可能のものでも構わない。
【００２３】
ここで、前記施錠解錠装置の作用について説明すると、施錠解錠装置を屋外側から操作する場合、先ず、シリンダー部３のキー穴が縦状態にある状態において、キー２をキー穴に挿入してこれを例えば左に回動させる。
すると、錠前Ａの回転機構を介してデッドボルトが摺動され、その先端部が扉側面から外方に押し出され、扉枠の挿入部に嵌入して錠前Ａが施錠される。
一方、キー２をキー穴に挿入してこれを逆に右に回動させると、錠前Ａの回転機構を介してデッドボルトが逆方向に摺動され、その先端部が扉枠の挿入部から離脱して扉側面内（錠前ケース１）に収容され、錠前Ａが解錠される。この場合、錠前Ａの回転機構を介してデッドボルトだけではなく、サムターン部５のサムターン４もデッドボルトの摺動に連動して回動せしめられ、例えばサムターン４が水平方向に向く状態（施錠状態の位置）と鉛直方向に向く状態（解錠状態の位置）との間で回動せしめられる。
この場合、シリンダー部３のシリンダー３ａの回動に応じてサムターン４も連動して施錠又は解錠位置に位置せしめられる。
次に施錠解錠装置を屋内側から操作する場合について述べると、サムターン部５のサムターン４は例えば鉛直状態にあるときに錠前Ａは解錠状態にある。その状態からサムターン４を把持してこれを例えばサムターン４を水平状態にするべく時計周りに回動させると、錠前Ａの回転機構を介してデッドボルトが摺動されて、その先端部が扉側面から外方に押し出され、扉枠のストライク部に嵌入されて錠前Ａが施錠される。一方、サムターン４を把持してこれを時計周り逆に回動させて鉛直状態に戻すと、錠前Ａの回転機構を介してデッドボルトが逆方向に摺動され、その先端部が扉枠のストライク部から離脱して扉側面内（錠前ケース１）に収容され、錠前Ａが解錠される。
この場合、サムターン４の回動に応じて、シリンダー３ａは、回動することはない。防犯性を確保するためである（シリンダーのキー挿入部の位置の動きが外観できることにより、建物の住人以外の他人に施解錠状態が分かってしまうことを避ける）。
なお、ここで説明したサムターン付きシリンダー錠の構造は一例であって、同様の機能を果たすものであれば、その詳細構造は限定されるものではない。
【００２４】
第一の実施形態に係る扉の施錠解錠装置は、上述した一般的なサムターン付きシリンダー錠に扉の施錠解錠状態を表示する機構を付設したものである。すなわち、図１に示すように、キー２、サムターン４にマグネット６，７がそれぞれ取付けられると共に、錠前ケース１に、シリンダー側収納部８ａとサムターン側収納部８ｂからなる収納部８が付設され、該シリンダー側収納部８ａに、キー２のマグネット６が近接したときにこれを検知する磁気センサ（キーセンサ）９が収納されると共に、扉の施錠及び解錠の状態を点灯表示する外側用発光素子１０がその発光部を扉の外側に向けて取付けられている。一方、サムターン側収納部８ｂには、サムターン４のマグネット７が近接したときにこれを検知する磁気センサ１１が収納されると共に、扉の施錠及び解錠の状態を点灯表示する内側用発光素子１２がその発光部を扉の外側に向けて取付けられている。そして、前記サムターン側収納部８ｂの下方部分は下方に拡大され、その拡大部分に、発光素子１０，１２の点灯表示状態を制御する点灯制御部１３と、発光素子１０，１２を点灯させるための電源部１４が収納されている。
【００２５】
サムターン４に取付けられた前記マグネット７は、サムターン４の把持部の長手方向の一方の縁部で扉側に対向する面に取付けられ、該マグネット７を検知する磁気センサ１１は、サムターン４が解錠位置にあるときにマグネット７が最も近接する位置に位置せしめられている。一方、キー２に取付けられたマグネット６を検知する磁気センサ９は、シリンダー部３にキー２が挿入された状態でキー２のマグネット６を検知できるように、シリンダー部３の外側にシリンダー部３に近接して配置されている。
前記マグネット６，７は、地磁気よりも強い磁束密度を発する永久磁石の微小片で、例えばサマリウム−コバルト系やネオジム系の希土類磁石であり、各マグネット６，７を検知する各磁気センサ９，１０は、ホールＩＣセンサである。
【００２６】
扉の外側に設けられた前記外側用発光素子１０は、前記収納部８のシリンダー側収納部８ａであって、キー２をシリンダー部３に挿入した状態で外側から視認可能な位置に設けられ、また扉の内側に設けられた前記内側用発光素子１２は、前記収納部８のサムターン側収納部８ｂであって、サムターン５の把持部の回動範囲から外れた位置で屋内側から視認可能な位置に設けられている。図２（ａ）及び（ｂ）はこれら発光素子の取付け位置を示す斜視図で、外側用発光素子１０は鍵穴の上方部分に、内側用発光素子１２はサムターン２の下方部分に設けられていることが分かる。これらの発光素子は、発光素子から２〜３ｍ以上の距離において視認できる程度の輝度を有するものであれば、特に限定されるものではないが、ここでは、消費電力の小さいＬＥＤが用いられている。
前記点灯制御部１３はＩＣ回路から構成され、該点灯制御部１３に前記発光素子１０，１２と前記磁気センサ９，１１が電気的に接続され、磁気センサ９，１１からの検知信号が点灯制御部１３に送られ、発光素子１０，１２の発光制御が行われる構成となっている。また前記電源部１４はリチウム電池から構成されており、その交換を容易にするために、電源部１４が収納されたサムターン側収納部８ｂの下方部分８ｃは、ネジ、嵌合等により、着脱自在とされている。
【００２７】
図３は上記扉の施錠解錠装置の基本構成を示す回路ブロック図であり、シリンダー部に取付けられた磁気センサ９と外側用発光素子１０と、サムターン部に取付けられた内側用発光素子１２と磁気センサ１１は点灯制御部１３に接続され、点灯制御部１３と磁気センサ９，１１は更に電源部１４に接続されている。
【００２８】
次に、上記施錠解錠装置の作用を、図４及び５を用いて説明する。
図４は、本発明に係る施錠解錠装置の施錠解錠操作と発光素子の表示態様の対応を説明する図であり、図５は、図４の表示態様を実現するための施錠解錠装置の操作に対応した信号情報処理のフローチャートである。
（屋外側からシリンダー施錠）
図５において、上記施錠解錠装置を屋外側から操作して施錠する場合、居住者等はシリンダー部３にキー２を挿入する。この挿入状態で、シリンダー側磁気センサ（キー用磁気センサ）９がキー２のマグネット６を検知し、シリンダー側磁気センサＯＮとし、シリンダー出力ＯＮの信号が点灯制御部１３に送られる。そして、キー２を回して錠前１を施錠状態にすると、シリンダー部３を介してデッドボルトが施錠状態にさせられるが、それに連動してサムターン部５も施錠状態に回動させられ、その結果、サムターン側磁気センサ１１がＯＮとなってサムターン出力ＯＮの信号が点灯制御部１３に送られる。シリンダー出力ＯＮ、サムターン出力ＯＮの信号を受け取った点灯制御部１３は、サムターン側発光素子１２の電源出力をＯＦＦとして発光素子１２を消灯させる一方、シリンダー部側発光素子１０の電源出力をＯＮとしてシリンダー部側の発光素子１０を点灯させ、タイマーにより例えば数秒のような一定時間後には消灯させる。居住者等は玄関の外側から発光素子１０の点灯を確認し、外出等ができる。このとき、一旦は点灯した発光素子１０は一定時間後には消灯するので、第三者に玄関ドアの施解錠状態を気付かれることはない。
（屋外側からシリンダー解錠）
一方、図５において、居住者等がシリンダー部３にキー２を挿入して、錠前１を解錠した場合、シリンダー部３にキー２が挿入されるので、シリンダー側磁気センサー９がＯＮとなり、シリンダー出力ＯＮの信号が点灯制御部１３に送られる。そして、シリンダー部３の回動によりデッドボルトが解錠されると、サムターン部５も連動して解錠状態となり、サムターン出力ＯＦＦの信号が点灯制御部１３に送られる。シリンダー出力ＯＮ、サムターン出力ＯＦＦの信号を受け取った点灯制御部１３は、サムターン部５の発光素子１２を点滅状態とし、シリンダー部の発光素子１０を点滅させ、一定時間（例えば数秒でよい）後に消灯させる。
【００２９】
（屋内側からサムターン施錠）
次に、図５において、上記施錠解錠装置を屋内側で操作する場合、先ず、図２（ｂ）に示すような解錠状態にあるときは、サムターン４を水平方向に（例えば時計周りに）回動させて施錠状態とすると、サムターン４の回動によってマグネット７の位置が変位し、サムターン４が施錠位置に来たところで、サムターン側磁気センサ１１がそのマグネット７を検知し、サムターン側磁気センサＯＮの信号が出力される。このとき、サムターン４の回動によってデッドボルトだけでなくシリンダー部３も連動して施錠位置に回動するが、シリンダー部３にはキー２は挿入されていないので、シリンダー側磁気センサ（キーセンサ）９はＯＦＦ状態のままである。このサムターン出力ＯＮ、シリンダー出力ＯＦＦの信号が点灯制御部１３に送られ、点灯制御部１３は、サムターン部５の発光素子１２が点灯させ、一定時間後（例えば数秒でよい）にはタイマーにより消灯され、シリンダー側発光素子１０はそのまま消灯状態が維持される。
（屋内側からサムターン解錠）
一方、図５において、居住者等がサムターン４を鉛直方向に（時計周りとは逆方向に）回動させて施錠状態から解錠状態に戻した場合、シリンダー側はキー２が挿入されていないので、上で説明したものと同様の状態となっているが、サムターン側磁気センサ１１は、マグネット７が離隔するので、サムターン側磁気センサ１１がＯＦＦとなる結果、磁気センサ１１からはサムターン出力ＯＦＦ、シリンダー出力ＯＦＦの信号が点灯制御部１３に送られる。シリンダー出力ＯＦＦ、サムターン出力ＯＦＦの信号を受け取った点灯制御部１３は、サムターン部５の発光素子１２を点滅させ、シリンダー側発光素子１０はそのまま消灯状態が維持される。
【００３０】
以上のような施錠解錠装置によれば、居住者等は、屋外側の操作において扉を施錠する際に施錠状態を視覚的に確認でき、また玄関ホール灯の照明等を付けることなく暗闇でも施錠したことを確認できるし、視覚的記憶に残すことにより、外出時に鍵を締めたか否か精神的な不安を取り除くことが可能となる。更に、キー２の挿入の有無により屋内側と屋外側からの操作を識別し、操作した側のみにしか表示を出力しないので、防犯上の効果を担保でき、また不必要な表示を減らして電池消耗を防止できる。
特に屋外側の発光素子１０は、施錠後に一定時間点灯するので、居住者等はキー２を挿して回して確認したりノブやハンドル等を回して確認しなくとも施錠を視覚的に確認することができ、また施錠後一定時間経過すると消灯し、施解錠時以外においては消灯状態が維持されるので、施錠解錠状態が第三者に気付かれることはなく、防犯性を担保でき、電池の消耗も防止できる。また屋内側からは比較的離れた位置からでも施解錠状態を確認でき、特に解錠状態では発光素子１４を点滅させるので、かなり離れた位置からでも閉め忘れに気付き、安心して就寝できる等の効果を奏する。また屋内側での施錠操作においても、発光素子１０が一定時間点灯するので、施錠確認が確実にできる。
屋外側の発光素子１０は、キーの操作によりシリンダーを回動させて解錠後に一定時間点滅するので、キーの操作者が解錠したことを視覚的に認識できる。また、施錠後一定時間経過すると消灯し、この状態が維持されるので解錠状態が第三者に気付かれることはなく、防犯性を担保でき、電池の消耗も防止できる。
【００３１】
図６（ａ）及び（ｂ）は本発明の第二の実施形態に係る扉の施錠解錠装置を示すもので、第一の実施形態に係る施錠解錠装置と同様の部分は説明を省略し、異なる部分のみを説明する。
図６（ａ）及び（ｂ）中、２０はシリンダー部、２１はデッドボルト、２２はサムターン部で、何れも既設のシリンダー錠のものである。該実施形態では、シリンダー部２０にシリンダー側増設カバー２３が取付けられ、該増設カバー２３内に、前述したものと同様のシリンダー側磁気センサ（図示せず）が収納されると共に、シリンダー側発光素子２４がその発光部を屋外に向けて取付けられている。また、既存のサムターン部２２の上部側に、サムターン側増設カバー２５が取付けられ、その増設カバー２５にサムターン側発光素子２６がその発光部を室内に向けて取付けられていると共に、その増設カバー２５内に、第一の実施形態におけるものと同様のサムターン側磁気センサ、サムターン側発光素子、点灯制御部、電源部（何れも図示せず）が、適宜配線と共に収納されている。またサムターンと図示しないキーはマグネット付きのものに交換されている。
なお、サムターン側増設カバー２５内の磁気センサ、発光素子２６、点灯制御部、電源部と、シリンダー側増設カバー２３内の磁気センサ、発光素子２４との接続は、配線をフラットケーブルとし、例えばシリンダー錠の錠前ケース内縁側を迂回させて、なされる。
このような構造の施錠解錠装置は、第一の実施形態に係る扉の施錠解錠装置と同様の作用効果を奏する他、既存のサムターン付きシリンダー錠に設置することができるので、住宅のリフォーム向きであり、また既存の住宅の扉の錠前の部品の一部を追加・交換することにより取付けることができ、ＤＩＹ施工も可能であるという効果を奏する。
【００３２】
図７は本発明の第三の実施形態に係る扉の施錠解錠装置を示す概略図で、第一の実施形態に係る施錠解錠装置と同様の部分は説明を省略し、異なる部分のみを説明する。第一の実施形態では、マグネットはキーの他にサムターンに取付けたが、該実施形態では、サムターンではなく、デッドボルト３０自体にマグネット３１が取付けられると共に、錠前ケース内でデッドボルト３０の近傍には、上記マグネット３１が近接したときにこれを検知するホールＩＣからなる磁気センサ３２が配設され、該磁気センサ３２に発光素子３３と電源部３４が接続されている。前記発光素子３３は、屋外側に配置されるものであるが、屋外側に配置される発光素子は第一の実施形態におけるようにキー用磁気センサに関連付け、屋内側に配置されるものとしてもよい。
このような構造では、錠前の内部にセンサ等を組み込むので、新築住宅において設置する場合に適している。
【００３３】
図８（ａ）及び（ｂ）は本発明の第四の実施形態に係る扉の施錠解錠装置を示す概略図である。該実施形態は、施錠解錠装置の構成部品自体は第一の実施形態における場合と同様であり、その説明を省略するが、既存のサムターン付きシリンダー錠において、その錠前ケースを残し、既存のシリンダー部とサムターン部を、第一の実施形態に係る施錠解錠装置の場合と同様に、外側用発光素子４１を備えたシリンダー部４０と内側用発光素子４２を備えたサムターン部４３に交換したもので、シリンダー部４０とサムターン部４３の配線は、例えばフラットケーブル４４を用いて錠前ケースの内縁側を迂回させることにより、なされる。
このような構造の施錠解錠装置は、既存のサムターン付きシリンダー錠の部品を交換することにより設置することができ、住宅のリフォーム向きであり、ＤＩＹ施工も可能である。
【００３４】
図９は、本発明の第五の実施形態に係る扉の施錠解錠システムの回路ブロック図を示すもので、第一の実施形態に係る施錠解錠装置と同じ施錠解錠装置を複数（上下一対）、一の扉Ｄに設置したものであり、第一の実施形態に係る施錠解錠装置と同様の部材には同一の番号を付して説明を省略する。
図９から分かるように、上側の施錠解錠装置と下側の施錠解錠装置は、その各点灯制御部１３，１３が相互に電気的に接続されており、一方の施錠解錠装置において得られた施錠解錠状態に関する信号が他方の施錠解錠装置に送られ、またその逆の信号授受もなす構成とされている。従って、一方の施錠解錠装置が錠前の施錠解錠状態を検知したとき、該一方の施錠解錠装置がその錠前の施錠解錠状態を表示すると共に、他方の施錠解錠装置の施錠解錠状態も表示される。
【００３５】
この実施形態に係る施錠解錠システムにおいては、居住者等が屋外側から一方の施錠解錠装置の錠前を解錠する場合、その一方の施錠解錠装置は、第一の実施形態について説明したものと同様の作動をし、例えば屋内側の発光素子１２が点滅し、屋外側の発光素子１０が一定時間点滅後消灯するが、居住者等がキー２をシリンダー部３に挿入したことの検知信号は、点灯制御部１３から他方の施錠解錠装置の点灯制御部１３に送られ、その送られてきた検知信号を受信したことをきっかけとして、他方の施錠解錠装置の点灯制御部１３が起動する。すなわち、他方の施錠解錠装置の点灯制御部１３は、他方の施錠解錠装置の施錠解錠状態に応じた表示を行う。例えば、他方の施錠解錠装置が施錠状態にあるのならば、前記信号を受けて、屋外側の発光素子１０を一定時間点灯させ、解錠状態にある場合には点滅させる。これにより居住者等はその表示を確認して、点灯した場合のみ他方の施錠解錠装置を操作して解錠することができる。
一方、居住者等が屋内側から錠前を操作して施錠する場合は、それぞれの発光素子１２が点滅しているか否かを確認するだけでよく、点滅しているものがあれば、サムターンを操作して施錠することにより、点滅が消え、一定時間後消灯する。解錠する場合は、双方の屋内側の発光素子１２が点滅状態になるようにサムターンを操作することができる。
この実施形態においては、特に屋外側から施錠解錠操作を行う場合、一回の操作で他方の施錠解錠装置の状態を視覚的に確認することができ、ドア２ロック式の装置の操作性を大幅に向上させることができる。
【００３６】
以上、本発明の特定の実施形態を詳細に説明したが、本発明は、これらの実施形態に限定されるものではないことは言うまでもない。例えば、第一の実施形態に係る扉の施錠解錠装置において、外側発光素子を設置することは必須であるが、内側発光素子は必ずしも設ける必要はない。その場合、外側発光素子へ送る施錠解錠信号は、サムターン部に設けたマグネットと磁気センサによって得られるようにしてもよいし、デッドボルトにマグネットを設けたりシリンダー部にマグネットを設けてその移動を磁気センサによって検知することによって得られるようにしてもよい。
【産業上の利用可能性】
【００３７】
本発明に係る扉の施錠解錠装置及び施錠解錠表示装置は、住宅の玄関ドア等の扉に設置されて、居住者等の施錠忘れ防止に供せられる。
【図面の簡単な説明】
【００３８】
【図１】本発明の第一の実施形態に係る施錠解錠装置の概略断面図である。
【図２】（ａ）は図１の施錠解錠装置のシリンダー部、（ｂ）はそのサムターン部を示す斜視図である。
【図３】図１の施錠解錠装置のブロック図である。
【図４】図１の施錠解錠装置の施錠解錠操作と発光素子の表示態様の対応を説明するための図である。
【図５】図４の表示態様を実現するための施錠解錠装置の操作信号情報処理のフローチャートである。
【図６】本発明の第二の実施形態に係る施錠解錠装置の要部の斜視図であり、（ａ）はそのシリンダー部、（ｂ）はそのサムターン部を示す。
【図７】本発明の第三の実施形態に係る施錠解錠装置のサムターン部側から見た要部の概略図である。
【図８】本発明の第四の実施形態に係る施錠解錠装置の概略図であり、（ａ）は錠前の扉への取り付け状態をシリンダー部側から見た斜視図、（ｂ）は（ａ）のｂ−ｂ矢視断面図である。
【図９】本発明の第五の実施形態に係る施錠解錠システムのブロック図である。
【符号の説明】
【００３９】
Ｄ                        扉
Ａ                        錠前
１                        錠前ケース
２                        キー
３，２０，４０            シリンダー部
３ａ                      シリンダー
４                        サムターン
５，２２，４３            サムターン部
６，７，３１              マグネット
８                        収納部
８ａ                      シリンダー側収納部
８ｂ                      サムターン側収納部
８ｃ                      サムターン側収納部の下方部分
９                        磁気センサ（キー用磁気センサ）
１０，２４，４１          外側用発光素子
１１，３２                磁気センサ
１２，２６，３３，４２    内側用発光素子
１３                      点灯制御部
１４，３４                電源部
２１，３０                デッドボルト
２３                      シリンダー側増設カバー
２５                      サムターン側増設カバー
４４                      フラットケーブル
【図１】
2008261138.tif 000003
【図２】
2008261138.tif 000004
【図３】
2008261138.tif 000005
【図４】
2008261138.tif 000006
【図５】
2008261138.tif 000007
【図６】
2008261138.tif 000008
【図７】
2008261138.tif 000009
【図８】
2008261138.tif 000010
【図９】
2008261138.tif 000011